(57)【要約】【課題】画像処理装置を設置する壁が曲面の場合など、視聴者と画像処理装置画面とが成す観視角度が大きい状態に設置される場合であっても、良好な画像表示を可能とする画像処理装置を提供することを目的とする。【解決手段】信号が入力される信号入力部１０４と、視聴者から画像処理装置までの観視距離、および画像処理装置の垂線と観視距離とが成す角度である観視角度の制御部である観視距離・観視角度制御部１０１と、各々の画像処理装置の相対位置情報を制御する画像処理装置相対位置情報制御部１０２と、視聴者の実際の視聴可能領域を制御する視聴可能領域演算部と１０３、入力信号を、視聴可能領域演算部により演算された視聴可能領域に対応づけ、各々の画像処理装置に表示させる画像を制御する画像処理部１０５と、その画像を出力し表示させる画像出力部１０６と、を備える画像処理装置１００である。【選択図】図１
2010145442.tif 000002
【特許請求の範囲】
【請求項１】
信号が入力される信号入力部と、
視聴者から画像処理装置までの観視距離、および画像処理装置の垂線と観視距離とが成す角度である観視角度の制御部である観視距離・観視角度制御部と、
各々の画像処理装置の相対位置情報を制御する画像処理装置相対位置情報制御部と、
視聴者の実際の視聴可能領域を制御する視聴可能領域演算部と、
入力信号を、視聴可能領域演算部により演算された視聴可能領域に対応づけ、各々の画像処理装置に表示させる画像を制御する画像処理部と、
その画像を出力し表示させる画像出力部と、
を備える画像処理装置。
【発明の詳細な説明】
【技術分野】
【０００１】
本発明は、画像処理装置を複数並べて、全体の画像の制御を行う画像処理装置に関するものである。
【背景技術】
【０００２】
従来の画像処理方法は、表示画面の大型化という要望に応えるため、複数の画像表示装置を組み合わせて、壁などに据え付け、全体の画像表示画面を制御しようとしていた。その際、設置する壁が円柱などの曲面である場合があった。また近年、曲面状に曲がる画像表示装置などが開発されている（例えば、特許文献１参照）。
【特許文献１】特開２００７−１６４０６０号公報
【発明の開示】
【発明が解決しようとする課題】
【０００３】
しかしながら、前記の従来の構成では、画像処理装置を貼り付ける（設置する）壁が曲面の場合など、視聴者と画像処理装置画面の観視角度が大きい場合には、幾何的歪みが生じてしまい、その結果、文字などの情報が認識しづらくなったり、画像作成者の意図とは異なる画像となってしまうといった課題が生じる場合があった。
【０００４】
本発明はこのような現状に鑑みなされたもので、画像処理装置が、視聴者と画像処理装置画面の観視角度が大きい状態に設置される場合であっても、良好な画像表示を可能とする画像処理装置を提供することを目的とする。
【課題を解決するための手段】
【０００５】
上記目的を実現するために本発明の画像処理装置は、信号が入力される信号入力部と、視聴者から画像処理装置までの観視距離、および画像処理装置の垂線と観視距離とが成す角度である観視角度の制御部である観視距離・観視角度制御部と、各々の画像処理装置の相対位置情報を制御する画像処理装置相対位置情報制御部と、視聴者の実際の視聴可能領域を制御する視聴可能領域演算部と、入力信号を、視聴可能領域演算部により演算された視聴可能領域に対応づけ、各々の画像処理装置に表示させる画像を制御する画像処理部と、その画像を出力し表示させる画像出力部と、を備える。
【発明の効果】
【０００６】
本発明によれば、表示領域が大型化するとか表示領域が平面でなく曲面であるとか等、視聴者と画像処理装置画面の観視角度が大きい状態に設置される場合であっても、幾何的歪みがなく、違和感のない、良好な画像表示を可能とする画像処理装置を提供することができる。
【発明を実施するための最良の形態】
【０００７】
以下、本発明の一実施の形態による画像処理装置について、図を参照しながら説明するが、本発明の実施の態様はこれに限定されるものではない。
【０００８】
図１は、本発明の一実施の形態による画像処理装置の概略構成を示すブロック図である。
【０００９】
画像処理装置１００は、観視距離・観視角度制御部１０１、画像処理装置相対位置情報制御部１０２、視聴可能領域演算部１０３、信号入力部１０４、画像処理部１０５、画像出力部１０６、を備える。
【００１０】
観視距離・観視角度制御部１０１は、視聴者から画像処理装置までの観視距離、および画像処理装置の垂線と観視距離とが成す角度である観視角度、の情報の制御部である。これらは、センサーにより自動取得、もしくはユーザーＧＵＩにより入力される。
【００１１】
画像処理装置相対位置情報制御部１０２は、各々の画像処理装置の相対位置情報制御部であり、センサーによる自動取得、もしくはユーザーＧＵＩにより入力される。この情報により、複数画像処理装置を組み合わせた場合の、全体に対する、自装置の位置づけが判別できる。
【００１２】
視聴可能領域演算部１０３は、複数の画像処理装置１００が組み合わさった時に、視聴者の実際の見え方を示すもので、視聴者の実際の視聴可能領域を制御するものである。
【００１３】
信号入力部１０４には、信号が入力される。
【００１４】
画像処理部１０５は、信号入力部１０４から入力された信号を、視聴可能領域演算部１０３により演算された視聴可能領域に対応づけ、さらに各々の画像処理装置の表示画像を制御するもので、複数の画像処理装置を並べて、全体の画像を制御するため、画像を拡大・縮小、回転などの線形変換、分割などの機能を持ち、また、画像の他、テキストデータなどの情報を制御し、また全体の画像表示領域を分割し、管理する制御機能を持つものである。
【００１５】
画像出力部１０６は、画像処理部１０５により処理された画像を出力し、表示させるものである。
【００１６】
図２は、上述した画像処理装置１００を曲面の壁である円柱２０１に設置した際の状態を、概略的に真上から見た図として示すものである。図２においては、画像処理装置１００が３台設置されている。
【００１７】
２０２は、視聴者である。
【００１８】
２０３は、視聴者２０２の実際の視聴可能領域である。
【００１９】
２０４は、視聴者２０２から画像処理装置１００の中央までの視聴距離で、観視距離が最小になる点である。
【００２０】
２０５は、視聴者２０２から各々の画像処理装置１００の中央までの視聴距離である。
【００２１】
２０６は、画像処理装置１００の垂線である。
【００２２】
２０７は、視聴者２０２から各々の画像処理装置１００の中央までの観視距離２０５と画像処理装置１００の垂線とが成す観視角度である。
【００２３】
本発明の一実施の形態による画像処理装置１００は、図２に示す状態において、信号入力部１０４（図１）より入力された入力信号を、実際の視聴可能領域２０３に表示させることにより、複数の画像表示装置１００を組み合わせて、曲面の壁である円柱２０１に設置した場合であっても、もとの入力信号の幾何的歪みをなくし、画像作成者の意図を損なわない、また情報欠如が発生しない画像が得られるというものである。以下、詳細を説明する。
【００２４】
はじめに、視聴距離２０４と視聴者２０２から画像処理装置１００の垂線の成す観視角度２０７より、視聴者２０２の実際の視聴可能領域２０３を求める。
【００２５】
視聴者２０２の実際の視聴可能領域２０３は、視聴者２０２の位置から画像処理装置１００に向かって、視聴者２０２との観視距離２０４が最小になる点を含み、視聴者２０２の位置から、画像処理装置１００に引くことが可能な接線のうち、もっとも観視角度２０７が大きくなるものを求め、その接線と実際の視聴可能領域２０３との交点２０８を視聴者２０２の実際の視聴可能領域２０３の最大幅とすることで、視聴者２０２の実際の視聴可能領域２０３を求める。
【００２６】
次に、視聴者２０２から視聴者２０２の実際の視聴可能領域２０３を通って、各々の画像処理装置１００へ線を引き、視聴者２０２の実際の視聴可能領域２０３と各々の画像処理装置１００と画像の画素と対応づける。このことによって、各々の画像処理装置１００の各画素に表示すべき画素が定まる。この際に画像のアスペクトなどが異なる場合は、視聴者２０２の実際の視聴可能領域２０３のサイズに応じて線形変換を施す。
【００２７】
以上により、入力信号を視聴者２０２の実際の視聴可能領域２０３に表示することが可能となる。
【００２８】
図３は、本発明の一実施の形態による画像処理装置１００を曲面２０１に張り付けた際の画像の見え方を模式的に示す図であり、図４は、同じく、従来の画像処理装置３００での見え方を模式的に示す図である。
【００２９】
図４に示すように、観視角度が大きくなるほど、画像の横方向が圧縮されたように見えるが、本発明の一実施の形態による画像処理装置によれば、図３に示すように、視聴者から画像処理装置までの観視角度が大きくなった場合でも、各々の画像処理装置に、予め補正した図を表示させることにより、正面から見た際にもとの画像の見え方を損なわないように視聴することが可能となる。
【産業上の利用可能性】
【００３０】
以上のように本発明は、表示領域の大型化、表示領域が平面でない場合などに、複数の表示装置を組み合わせて表示する場合であっても、また観視角度が大きい表示箇所でも、幾何的歪みからくる違和感がなくなった表示画像が得られる画像処理装置を提供する上で有用である。
【図面の簡単な説明】
【００３１】
【図１】本発明の実施の形態１による構成図
【図２】本発明の実施の形態１の上視図
【図３】本発明の実施の形態１による実際の画像の表示図
【図４】従来例による実際の画像の表示図
【符号の説明】
【００３２】
１００  画像処理装置
１０１  観視距離・観視角度制御部
１０２  画像処理装置相対位置情報制御部
１０３  視聴可能領域演算部
１０４  信号入力部
１０５  画像処理部
１０６  画像出力部
２０１  曲面の壁（円柱）
２０２  視聴者
２０３  視聴者の実際の視聴可能領域
２０４  視聴者から画像処理装置の中央までの視聴距離
２０５  視聴者から画像処理装置の中央までの視聴距離
２０６  画像処理装置の垂線
２０７  視聴者から各々の画像処理装置の中央までの観視距離と画像処理装置の垂線とが成す観視角度
２０８  視聴可能領域の最大幅を決める交点
【図１】
2010145442.tif 000003
【図２】
2010145442.tif 000004
【図３】
2010145442.tif 000005
【図４】
2010145442.tif 000006